(57)【特許請求の範囲】
【請求項１】
支柱と横架材との結合で形成した枠体を間隔を存して平行させ、これら対向する枠体同士に足場板を掛け渡して連結して枠組み、また、コーナー部に位置する少なくとも４本以上の支柱の下端にキャスターを取付けた移動式足場装置において、
前記キャスターは、前記支柱に嵌合され前記支柱に固定される縦軸と、縦軸の下端に固定される円形取付板と、前記縦軸の直径よりも小径であって前記円形取付板の中央で、前記縦軸と同軸上で前記縦軸の下側に配置される旋回軸と、車輪を車軸にて回転可能に支持するヨークと、前記ヨークによって支承される車軸と、前記車軸にて互いに独立して回転可能な２つの車輪とを有し、
前記２つの車輪は、車輪の進行方向で見たときに、前記縦軸の中心軸線を挟んだ両側に配置され、
前記２つの車輪のそれぞれの中心線間の距離が前記縦軸の直径よりも長く、２つの車輪の幅はそれぞれ、２つの車輪のそれぞれの中心線間の距離よりも小さく、また、２つの車輪を合わせた幅が、前記円形取付け板の直径よりも小さく、２つの車輪は、ヨークによって両端のみが支持されていることを特徴とする移動式足場装置。
【発明の詳細な説明】
【技術分野】
【０００１】
本発明は、建設工事等で使用する仮設移動足場としての通称ローリングタワーと呼ばれる移動式足場装置に関するものである。
【背景技術】
【０００２】
移動式足場としてのローリングタワーは、タワー状に組み立てられた枠組構造の最上層に作業床が設けられ、脚柱の下端に車輪が設けられたものである。
【０００３】
図４はこのようなローリングタワーの一例を示すもので、枠組構造は通常の固定式の枠組と同じようなもので、連結ピン３で上下に連結した建枠１，２を間隔を存して対向させ垂直構面を形成し、その垂直構面の相互に交さ筋かい４を側面側に掛け渡して、枠組む。
【０００４】
このようにして枠組んだものの最上部に、床付布枠５を渡して作業床を形成している。
【０００５】
図示のローリングタワーでは、建枠は２種類のものを使用ており、２種類の建枠１，２はいずれも垂直に設けられたパイプ材による柱部材６、並びに水平に設けられたパイプ材による梁部材８を構成要素とし、前記連結ピン３での上下に連結には柱部材６が使用される。
【０００６】
また、建枠１，２の左または右側の半面には梁部材８に平行する横架材９が上下間隔を存して設けられ、梁部材８とともに昇降用のステップとしてはしごを形成するので、建枠１，２ははしご型枠と呼ばれることもある。
【０００７】
床付布枠５を渡した階の柱部材６の上端に手摺支柱１０をさらに繋いで立ち上げ、手摺支柱１０に手摺１１を掛け渡す。
【０００８】
図中１３は控枠（アウトリガー）である。
【０００９】
前記車輪は、キャスター１４であり、例えば、下記特許文献１にもあるが、図５、図６に示すように、外周におねじ１５ａを形成した縦軸１５の左右側面に縦溝１５ｂが形成され、足場パイプが縦軸１５に嵌合される際、キーをその縦溝１５ｂに挿入して回り止めとする。
【特許文献１】実用新案登録第２５９０９８３号公報
【００１０】
前記縦軸１５にはハンドル１６ａ付きのめねじ環１６が螺合され、めねじ環１６の回転により脚輪の突出し長を調整する。また、縦軸１５の下端には、キャスター１４上部の円形取付板１８が固定される。
【００１１】
キャスター１４は、円形取付板１８の中央に旋回軸を固定し、円形取付板１８の下側に鋼球を介して上ワン１９を回転自在に配設し、上ワン１９の下側に、車輪２０を回転自在に軸支するヨーク２１を固定して構成される。
【００１２】
また、ヨーク２１の上部内側は、鋼球を介して下ワンにより支持され、車輪２０はその外周が硬質ウレタンゴムなどから形成される。
【００１３】
キャスター１４は、円形取付板１８の中央に旋回軸を固定し、円形取付板１８の下側に鋼球を介して上ワン１９を回転自在に配設し、上ワン１９の下側に、車輪２０を回転自在に軸支するヨーク２１を固定して構成される。
【００１４】
キャスター１４のブレーキ機構としては、車輪２０を支持するヨーク２１の上部に、ブラケットを介してブレーキカムを回動可能に取付け、ブレーキカムの回動によりその先端でブレーキ板を押すことにより、ブレーキ板の先端を車輪に押し付けて車輪をロックする構造である。
【００１５】
ヨーク２１の後部両側にはブラケット２２が固定され、両側のブラケット２２には、弓形に成形されたブレーキ板２３がその両側を係合して縦に支持される。ブレーキ板２３は、上部にはキャスター上部の円形取付板１８の外周面に当接される上部係止片２６が設けられ、下部には、車輪２０の外周面に当接される下部係止片２７が形成される。
【００１６】
また、ブレーキ板２３の外側には、両側のブラケット２２に支持される水平軸２４にブレーキカム２５が回転可能に軸支され、ブレーキカム２５にはロッド２８を設けた。
【００１７】
なお、キャスター１４の旋回軸は縦軸１５と同軸上にあり、車輪２０の車軸位置がその旋回軸より左に偏位しているため、縦軸１５に移動力が作用した場合、キャスターの移動方向は、通常、図６右方向となる。したがって、キャスター１４の車輪の正回転方向は、図６の時計方向（矢印方向）になり、ブレーキ板２３の下部係止片２７の鋭角部は反正回転方向に向くことになる。
【００１８】
このように構成された移動式足場用脚輪は、足場パイプの下部に、その縦軸１５をパイプ内に挿入するようにして取付けられる。また、この取付け状態において、パイプの下端がめねじ環１６上に当接するため、めねじ環１６を回転させてその位置を上下させることにより、脚輪の突出し長を調整することができる。
【００１９】
この移動式足場用脚輪は、通常状態において、足場に例えば図６の左側から右方向の力が印加された場合、図の右方向に移動可能であり、移動する際、車輪２０は図６の時計方向に回転する。
【００２０】
ブレーキをかける場合、ブレーキカム２５のロッド２８を下に押し下げ、ブレーキカム２５を回転させ、その一部でブレーキ板２３を車輪２０側に押し付ける。すると、ブレーキ板２３上部の上部係止片２６が円形取付板１８の外周部に押し付けられて旋回をロックし、ブレーキ板２３の下部の下部係止片２７が車輪２０の外周部に押し付けられ、車輪２０をロックさせる。
【発明の概要】
【発明が解決しようとする課題】
【００２１】
かかる移動式足場としてのローリングタワーは、安全上から規制が設けられ、例えば、高さの規制では、
（１）枠（アウトリガー）が無い場合
脚輪（キャスター）の下端から作業床までの高さ（H.m）と、ローリングタワーの外郭を形成するキャスターの主軸間隔（L.m）とは次の式を満足するものとする。
H≦7.7L−5
（２）控枠（アウトリガー）を有する場合
控枠を有する構造のローリングタワーにあっては、（１）の式に於けるLmの値を、次の式により得られる値とすることができる。
L＝A＋1/2（B1＋B2 ）
とされる。
【００２２】
積載荷重については、ローリングタワーの積載荷重（Wkg）は、作業床の面積（Am2）に応じて次の式により得られた値とする。
A≧2のとき  W＝250（kg）
A＜2のとき  W＝50＋100A（kg）
以上の式は、仮設工業会発行の「移動式足場の安全技術基準」による。
【００２３】
さらに、使用上の注意として、
（１）足場に積載荷重を表示し、その荷重以上積載しないこと。
（２）足場には偏心荷重、水平荷重および衝撃荷重をなるべく与えないようにすること。
（３）作業床上では、脚立、はしごなどは使用しないこと。
（４）枠組構造部の外側空間を昇降路とする移動式足場は同一面より同時に２名以上の者が昇降しないこと。
（５）作業者などを乗せたまま移動しないこと。
（６）傾斜面での使用については、脚柱ジャッキによって枠組構造部を鉛直に立て、作業床の水平を保持すること。
（７）作業者が無理な姿勢で作業を行わないで済むように作業箇所に近接した位置に足場を設置すること。
（８）脚輪のブレーキは、移動中を除き常に作動させておくこと。
（９）移動路面および移動空間にある障害物は撤去すること。
とされる。
【００２４】
このように規則が設けられているが、従来の移動足場は、比較的小型となると、足場板を支承している各支持脚同士の間隔が狭く、その為、上下に細長くなって安定が悪くなる。
【００２５】
この安定の悪さは、特に、移動時においては、転倒の危険が多い。
【００２６】
例えば、各キャスター１４に耐荷重に応じて、大型化かつ幅広化したタイヤを備えたものが使用すれば、安定感は増す。しかし、特に、幅広なタイヤの場合、接地面積が大きくなるので、ローリングタワーを移動させる際、比較的大きな力が必要となる。また、ローリングタワーでは比較的半径の小さなコーナーを旋回する場合が多く、幅広なタイヤの場合、コーナーを旋回する際にタイヤ自身の内側部と外側部の回転差が大きくなり、比較的大きな力を必要とする。
【００２７】
また、通常、各キャスター１４の車輪の外周部には、非中空タイヤ（タイヤ内部にタイヤ材質が充填されているタイヤ）が用いられており、荷重に応じて変形と復元を繰り返しており、ひび割れやタイヤ欠け等が発生する場合がある。
【００２８】
本発明は前記従来例の不都合を解消し、移動時でも、小さな力で移動でき、さらに、移動の際の旋回においても安定性がよい移動式足場装置を提供することにある。
【課題を解決するための手段】
【００２９】
前記目的を達成するため、請求項１記載の本発明は、支柱と横架材との結合で形成した枠体を間隔を存して平行させ、これら対向する枠体同士に足場板を掛け渡して連結して枠組み、また、コーナー部に位置する少なくとも４本以上の支柱の下端にキャスターを取付けた移動式足場装置において、前記キャスターは、前記支柱に嵌合され前記支柱に固定される縦軸と、縦軸の下端に固定される円形取付板と、前記縦軸の直径よりも小径であって前記円形取付板の中央で、前記縦軸と同軸上で前記縦軸の下側に配置される旋回軸と、車輪を車軸にて回転可能に支持するヨークと、前記ヨークによって支承される車軸と、前記車軸にて互いに独立して回転可能な２つの車輪とを有し、前記２つの車輪は、車輪の進行方向で見たときに、前記縦軸の中心軸線を挟んだ両側に配置され、前記２つの車輪のそれぞれの中心線間の距離が前記縦軸の直径よりも長く、２つの車輪の幅はそれぞれ、２つの車輪のそれぞれの中心線間の距離よりも小さく、また、２つの車輪を合わせた幅が、前記円形取付け板の直径よりも小さく、２つの車輪は、ヨークによって両端のみが支持されていることを要旨とするものである。
【００３０】
請求項１記載の本発明によれば、キャスターの車輪を、比較的幅の狭い２個のタイヤで構成する。１個のホイール部を有する幅広の従来キャスターに対して、２個のホイール部を有するので、ホイール部の強度は従来キャスターと同等以上である。また、タイヤの接地面積は小さくなるので、ころがり抵抗も小さく、かかるキャスター用いて、より小さな力で移動が可能である。
【００３１】
２つの車輪は、車輪の進行方向で見たときに、前記縦軸の中心軸線を挟んだ両側に配置され、前記２つの車輪のそれぞれの中心線間の距離が前記縦軸の直径よりも長いので安定性に富む。
【００３２】
更に、２個の車輪が同軸上にあるとともに独立して回転可能であるので、コーナーを旋回する際、それぞれの車輪の幅が狭いことに加えて、内側の車輪と外側の車輪が、それぞれ異なる回転数で回転できるので、半径の小さなコーナーでも、より小さな力で旋回することが可能である。
【００３３】
また、下部軸受と、その上方に設ける上部軸受によりヨークおよび車輪のスムーズな回転(公転)が得られるものであり、車輪が車軸にて同軸上に保持されており、互いに独立して回転可能である双輪であることと対応して、公転と車輪の自転の両方の動きを支障なく行うことができる。また、下部軸受と、その上方に設ける上部軸受はこれらをコンパクトに収めることができ、ガタつくおそれもすくない。
【発明の効果】
【００３４】
以上述べたように、本発明の移動式足場装置は、移動時でも、小さな力で移動でき、さらに、移動の際の旋回においても安定性がよいので、移動足場の安定性が飛躍的に向上するものである。
【発明を実施するための形態】
【００３５】
以下、本発明の移動式足場装置について、図面を用いて説明する。本発明も移動式足場装置本体については、支柱と横架材との結合で形成した枠体を間隔を存して平行させ、これら対向する枠体同士に筋違いや足場板を掛け渡して連結して枠組み、また、支柱の下端にはキャスターを取付けたものであり、前記図４で説明したものと同じである。
【００３６】
本発明の移動式足場装置は、コーナー部に位置する少なくとも４本以上の支柱の下端のキャスター１４をすべて、ホイール部の外周部に嵌め込まれるタイヤからなる車輪２０が車軸にて同軸上に保持されており、互いに独立して回転可能である双輪とした。
【００３７】
図１、図２はこのキャスター１４の一例を示すもので、前記従来例を示す図５、図６と同一構成要素には同一参照符号を付したものである。
【００３８】
図中１５は、足場パイプの下部に挿入する縦軸で、外周におねじ１５ａを形成した縦軸１５の左右側面に縦溝１５ｂが形成され、足場パイプが縦軸１５に嵌合される際、キーをその縦溝１５ｂに挿入して回り止めとする。
【００３９】
なお、図示は省略するが、図５、図６に示すように、縦軸１５にはハンドル１６ａ付きのめねじ環１６が螺合され、取付け状態において、パイプの下端がめねじ環１６上に当接するため、めねじ環１６を回転させてその位置を上下させることにより、脚輪の突出し長を調整することができる。
【００４０】
縦軸１５の下端には、キャスター１４上部の円形取付板１８が固定される。この円形取付板１８は後述の上部軸受３７を上側および側方から覆う。
【００４１】
キャスター１４は、円形取付板１８の中央に、前記縦軸１５と同軸上で前記縦軸１５の下側に配置される旋回軸３６を固定し、上ワン１９を回転自在に配設し、上ワン１９の下側に車輪２０を回転自在に軸支するヨーク２１を固定して構成される。
【００４２】
ヨーク２１は、車輪２０を車軸３４にて回転可能に支持している一対の側壁２１ａ、車輪２０の垂直上方にて、当該側壁２１ａ，２１ａを連結している天板２１ｂからなる。
【００４３】
本発明では、ヨーク２１の天板２１ｂの上方に上部軸受３７を、下方に下部軸受３８を設けた。上部軸受３７及び下部軸受３８は同一部材であり、共に、外輪３７ａ，３８ａ、内輪３７ｂ，３８ｂ、ベアリング３７ｃ，３８ｃにより構成されている。
【００４４】
外輪３７ａと外輪３８ａの間に第一のワッシャ３９を介在させ、同様に、内輪３７ｂと内輪３８ｂの間に第二のワッシャ４０を介在させる。
【００４５】
上部軸受３７は上ワン１９の内側に配設され、下部軸受３８はヨーク２１の天板２１ｂに形成された凹部に配設される。
【００４６】
旋回軸３６は、縦軸１５に連続するものであり、上部軸受３７及び下部軸受３８の上下にナット３５ａ，３５ｂを嵌めることでかしめ固定される。
【００４７】
このように、旋回軸３６をナット３５ａ，３５ｂで固定することにより、旋回軸３６と上部内輪３７ｂ、下部内輪３８ｂは一体に回転することとなる。
【００４８】
車輪２０を回転可能に支持している車軸３４は、ヨーク２１で支持するが、車輪２０は車軸２０の回りに回転可能なホイール部２０ａと、当該ホイール部２０ａの外周部に嵌め込まれるタイヤ２０ｂとからなり、前記ホイール部２０ａと前記タイヤ２０ｂにて構成された径が同じ２個の車輪２０が、前記車軸３４にて同軸上に保持されており、それぞれの前記車輪２０が互いに独立して回転可能である。
【００４９】
このように２つの車輪２０は、車軸３４を介してヨーク２１によって両端のみが支持されている。（図１参照）
【００５０】
前記２つの車輪２０は、車輪の進行方向で見たときに、前記縦軸の中心軸線aを挟んだ両側に配置され、前記２つの車輪２０のそれぞれの中心線b間の距離が前記縦軸の直径よりも長い。
【００５１】
さらに、２つの車輪２０の幅はそれぞれ、２つの車輪２０のそれぞれの中心線b間の距離よりも小さい。
【００５２】
また、２つの車輪２０を合わせた幅は、前記円形取付け板１８の直径よりも小さい。（図１参照）
【００５３】
前記ホイール部２０ａはベアリング３３を介在させて、車軸３４に被嵌するブッシュ３２と回転可能に係合する。
【００５４】
前記従来例と同じく、ヨーク２１の後部両側にはブラケット２２が固定され、両側のブラケット２２には、ブレーキ板２３がその両側を係合して縦に支持される。ブレーキ板２３は、上部にはキャスター上部の円形取付板１８の外周面に当接される上部係止片２６が設けられ、下部には、車輪２０の外周面に当接される下部係止片２７が形成される。
【００５５】
本発明では、この下部係止片２７は双輪である車輪２０，２０に同時に当接するものとして、図示は省略するが、例えば、双又フォーク状に形成した。
【００５６】
また、ブレーキ板２３の外側には、両側のブラケット２２を結ぶように水平軸２４が支持され、水平軸２４にブレーキカム２５が回転可能に軸支される。
【００５７】
このブレーキカム２５にはペダル４１が突設されるが、該ペダル４１は図３に示すように、２本のロッド４２が並行に出て、その先は矩形の輪を形成する横方向への矩形の拡径部４３となる輪体として形成した。
【００５８】
このような構成のブレーキ板２３は、その両側の切欠を、両側のブラケット２２に係合させるようにして縦に取付けられ、非ブレーキ状態では、上部の円弧状の上部係止片２６はキャスター上部の円形取付板１８の周囲に軽く接触し、下部の下部係止片２７は車輪２０、２０に軽く接触し、ブレーキカム２５の一部がブレーキ板２３の中央の凸部に接触している。
【００５９】
このようにして、本発明の移動式足場装置は、キャスターの車輪２０，２０を、比較的幅の狭い２個のタイヤで構成する。１個のホイール部を有する幅広の従来キャスターに対して、２個のホイール部を有するので、ホイール部の強度は従来キャスターと同等以上である。また、タイヤの接地面積は小さくなるので、ころがり抵抗も小さく、かかるキャスターを用いて、より小さな力で移動が可能である。
【００６０】
下記表１は本発明の効果を確認するために行った試験結果であり、一輪(シングルタイプ)の従来品に比較して、直線移動時、および、旋回時のおいて、小さな力で移動できることが立証された。
【表１】
0006007229.tif 000002
【００６１】
また、ブレーキをかける場合、ブレーキカム２５のペダル４１を下に押し下げ、ブレーキカム２５を回転させ、その一部でブレーキ板２３を車輪２０側に押し付ける。
【００６２】
すると、ブレーキ板２３上部の上部係止片２６が円形取付板１８の外周部に押し付けられて旋回をロックし、ブレーキ板２３の下部の下部係止片２７が車輪２０の外周部に押し付けられ、車輪２０をロックさせる。
【図面の簡単な説明】
【００６３】
【図１】本発明の移動式足場装置の１実施形態を示すもので、キャスター部分の一部切り欠いた正面図である。
【図２】本発明の移動式足場装置の１実施形態を示すもので、キャスター部分の一部切り欠いた側面図である。
【図３】本発明の移動式足場装置のキャスターに使用するペダルの平面図である。
【図４】ローリングタワーの一例を示す斜視図である。
【図５】従来のローリングタワーのキャスターの正面図である。
【図６】従来のローリングタワーのキャスターの側面図である。
【符号の説明】
【００６４】
１，２…建枠                ３…連結ピン
４…交さ筋かい              ５…床付布枠
６…柱部材        
８…梁部材                  ９…横架材
１０…手摺支柱              １１…手摺
１３…控枠（アウトリガー）  １４…キャスター
１５…縦軸                  １５ａ…おねじ
１５ｂ…縦溝
１６…めねじ環              １６ａ…ハンドル
１８…円形取付板            １９…上ワン
２０…車輪                  ２０ａ…ホイール部
２０ｂ…タイヤ
２１…ヨーク                ２１ａ…側壁
２１ｂ…天板                ２２…ブラケット
２３…ブレーキ板            ２４…水平軸
２５…ブレーキカム          ２６…上部係止片
２７…下部係止片            ２８…ロッド
３２…ブッシュ              ３３…ベアリング
３４…車軸                  ３５ａ，３５ｂ…ナット
３６…旋回軸                ３７…上部軸受
３８…下部軸受              ３７ａ，３８ａ…外輪
３７ｂ，３８ｂ…内輪        ３７ｃ，３８ｃ…ベアリング
３９…第一のワッシャ        ４０…第二のワッシャ
４１…ペダル                ４２…ロッド
４３…拡径部
【図１】
0006007229.tif 000003
【図２】
0006007229.tif 000004
【図３】
0006007229.tif 000005
【図４】
0006007229.tif 000006
【図５】
0006007229.tif 000007
【図６】
0006007229.tif 000008